(57)【要約】【課題】特別な機器や特別な知識を要することなく、通信網を介してデータ通信を行う通信装置の遠隔保守を実行することを可能にする。【解決手段】第１の通信網を介してデータ通信を行う一方、第１の通信網とは異なる第２の通信網を介して音声通信を行う通信装置に、第１の通信網を介してデータを受信した場合に実行する処理を規定するパラメータと音声信号を示すデータとの組が複数格納されている管理テーブルと、管理テーブルに格納さている複数のパラメータのうちの予め定められた１のパラメータを記憶する記憶手段と、を設け、第１の通信網を介してデータを受信した場合には記憶手段に記憶されているパラメータで規定される処理を実行させる一方、第２の通信網を介して音声信号を受信した場合にはその音声信号に対応するパラメータで記憶手段に記憶されているパラメータを書き換えさせる。【選択図】図４
2007174544.tif 000002
【特許請求の範囲】
【請求項１】
第１の通信網を介してデータ通信を行う第１の通信手段と、
前記第１の通信網とは異なる第２の通信網を介して音声通信を行う第２の通信手段と、
前記第１の通信手段によりデータを受信した場合に実行する処理を規定するパラメータと音声信号を示すデータとの組が複数格納されている管理テーブルと、
前記管理テーブルに格納さている複数のパラメータのうちの予め定められたパラメータを記憶する記憶手段と、
前記第１の通信手段によりデータを受信した場合には前記記憶手段に記憶されているパラメータで規定される処理を実行する一方、前記第２の通信手段により音声信号を受信した場合にはその音声信号に対応するパラメータを前記管理テーブルから読み出し、前記記憶手段に記憶されているパラメータを該読み出したパラメータで書き換える制御手段と、
を有することを特徴とする通信装置。
【請求項２】
前記制御手段は、
前記第１の通信手段によりデータ通信を行っている間に前記第２の通信手段により音声信号を受信した場合には、そのデータ通信が完了するまで前記記憶手段に記憶されているパラメータの書き換えを繰り延べる
ことを特徴とする請求項１に記載の通信装置。
【請求項３】
前記管理テーブルには、
前記第１の通信網を介したデータ通信が可能であるか否かを確認する処理を示す処理コマンドに対応付けて、前記複数のパラメータの各々に対応付けられている音声信号の何れとも異なる音信信号を示すデータが格納されており、
前記制御手段は、
前記第２の通信手段により受信された音声信号を示すデータに対応付けて前記処理コマンドが格納されている場合には、前記記憶手段に記憶されているパラメータを書き換えることに替えて、その処理コマンドの示す処理を実行しその実行結果を示す音声メッセージを前記第２の通信手段により前記音声信号の送信元へ返信する
ことを特徴とする請求項１に記載の通信装置。
【請求項４】
第１の通信網を介してデータ通信を行う第１の通信手段と、
前記第１の通信網とは異なる第２の通信網を介して音声通信を行う第２の通信手段であって、複数の通信アドレスが予め割り当てられている第２の通信手段と、
前記第２の通信手段に割り当てられている複数の通信アドレスの各々に対応付けて前記第１の通信手段によりデータを受信した場合に実行する処理を規定するパラメータが格納されている管理テーブルと、
前記管理テーブルに格納されている複数のパラメータのうちの予め定められたパラメータを記憶する記憶手段と、
前記第１の通信手段によりデータを受信した場合には前記記憶手段に記憶されているパラメータで規定される処理を実行する一方、前記複数の通信アドレスのうちの何れかへ着呼を前記第２の通信手段により受け付けた場合にはその通信アドレスに対応するパラメータを前記管理テーブルから読み出し、前記記憶手段に記憶されているパラメータを該読み出したパラメータで書き換える制御手段と、
を有することを特徴とする通信装置。
【発明の詳細な説明】
【技術分野】
【０００１】
本発明は、通信網を介してデータ通信を行う通信装置に関し、特に、遠隔保守を行うことが可能な通信装置に関する。
【背景技術】
【０００２】
例えば、ルータやゲートウェイなどの中継装置や、受信したデータを暗号化して返信する暗号化装置などの通信装置のなかには、データを送出する際のインタフェースを切替える処理や所定の送信元から送信されたデータのみを受け付けるフィルタリング処理などを予め設定されたパラメータ（以下、動作定義パラメータ）にしたがって実行するように構成されているものがある。この種の通信装置においては、動作定義パラメータを適宜書き換えるなどの設定変更を行うことによって、上記フィルタリング処理の処理対象を変更するなど受信したデータに対して施す処理を変更することが可能である。このような設定変更は、通信装置に設けられている操作部を適宜操作することによって行われること（すなわち、その通信装置の近傍で行われること）が一般的であるが、設定変更などの保守作業を通信網経由で遠隔地から行うこと（以下、「遠隔保守」）が可能であれば、保守作業の度に一々通信装置の近傍へ出向く必要がなく、便利である。
そこで、通信装置などの電子機器の遠隔保守を可能にするための技術が従来より種々提案されており、その一例としては、特許文献１や特許文献２に開示された技術が挙げられる。特許文献１には、電子機器を、リモートイーサネット（登録商標）ブリッジ、同期式モデム、有線回線、同期式モデム、リモートイーサネットブリッジおよびＨＵＢを介して端末装置に接続することによってその電子機器とその端末装置との双方通信を可能とし、その端末装置から上記電子機器の電源の遠隔制御を行うことを可能にする技術が開示されている。一方、特許文献２には、ｔｅｌｎｅｔなどの通信プロトコルにしたがって保守用コマンドを転送し、その転送先にその保守用コマンドを実行させるとともにその実行結果を上記保守用コマンドの送信元へ返信させることによって遠隔保守を行う技術が開示されている。
【特許文献１】特開２００１−１８６５７７号公報
【特許文献２】特開平８−１８２０８０号公報
【発明の開示】
【発明が解決しようとする課題】
【０００３】
しかしながら、特許文献１に開示された技術では、遠隔保守を実現するためにリモートイーサネットブリッジやモデムなどの特別な機器が必要になってしまうといった問題点がある。また、特許文献２に開示された技術により遠隔保守を行う場合には、保守用コマンドの他に、保守用コマンドの転送に用いられる通信プロトコル（例えば、ｔｅｌｎｅｔ）についての知識が必要になるため、保守作業を行うオペレータは保守用コマンドの他に上記通信プロトコルについての知識を習得しなければならず、そのオペレータにかかる負担が増加してしまうといった問題点がある。
本発明は、上記課題を解決するために為されたものであり、特別な機器や特別な知識を要することなく、通信網を介してデータ通信を行う通信装置の遠隔保守を可能にする技術を提供することを目的としている。
【課題を解決するための手段】
【０００４】
上記課題を解決するために、本発明は、第１の通信網を介してデータ通信を行う第１の通信手段と、前記第１の通信網とは異なる第２の通信網を介して音声通信を行う第２の通信手段と、前記第１の通信手段によりデータを受信した場合に実行する処理を規定するパラメータと音声信号を示すデータとの組が複数格納されている管理テーブルと、前記管理テーブルに格納さている複数のパラメータのうちの予め定められたパラメータを記憶する記憶手段と、前記第１の通信手段によりデータを受信した場合には前記記憶手段に記憶されているパラメータで規定される処理を実行する一方、前記第２の通信手段により音声信号を受信した場合にはその音声信号に対応するパラメータを前記管理テーブルから読み出し、前記記憶手段に記憶されているパラメータを該読み出したパラメータで書き換える制御手段と、を有することを特徴とする通信装置を提供する。このような通信装置によれば、第２の通信手段によって受信された音声信号に対応付けて管理テーブルに格納されているパラメータで、前記記憶手段に記憶されているパラメータが書き換えられる。
【０００５】
また、本発明の別の態様にあっては、第１の通信網を介して送信されてくるデータを受信した場合に予め該コンピュータ装置に設定されている動作定義パラメータの示す処理を実行させるとともに、前記第１の通信網とは異なる第２の通信網を介して音声信号を受信した場合に、該コンピュータ装置に予め記憶されている管理テーブルであって、前記第１の通信手段によりデータを受信した場合に実行する処理を規定するパラメータと音声信号を示すデータとの組が複数格納されている管理テーブルに前記受信した音声信号と対応付けて格納されているパラメータで上記動作定義パラメータを書き換えさせることを特徴とするプログラムを提供するとしても良い。このようなプログラムを一般的なコンピュータ装置へインストールすることによって、そのコンピュータ装置に上記通信装置と同一の機能を付与することが可能になる。なお、上記プログラムを配布する際には、ＣＤ−ＲＯＭ（Compact Disk-Read Only Memory）などのコンピュータ装置読み取り可能な記録媒体に上記プログラムを書き込んで配布するとしても良く、インターネットなどの電気通信回線を介したダウンロードにより配布するとしても勿論良い。
【０００６】
より好ましい態様においては、前記制御手段は、前記第１の通信手段によりデータ通信を行っている間に前記第２の通信手段により音声信号を受信した場合には、そのデータ通信が完了するまで前記記憶手段に記憶されているパラメータの書き換えを繰り延べることを特徴としている。このような態様によれば、第１の通信手段によりデータ通信が行われている間に第２の通信手段によって音声信号が受信された場合であっても、その音声信号に対応するパラメータでの記憶手段の記憶内容の書き換えは、そのデータ通信が完了するまで繰り延べられるため、第１の通信手段によりデータが受信された場合に実行される処理が上記データ通信の途中で変更されることが回避され、データ通信の一貫性を保つことが可能になるといった効果を奏する。
【０００７】
また、別の好ましい態様においては、前記管理テーブルには、前記第１の通信網を介したデータ通信が可能であるか否かを確認する処理を示す処理コマンドに対応付けて、前記複数のパラメータの各々に対応付けられている音声信号の何れとも異なる音信信号を示すデータが格納されており、前記制御手段は、前記第２の通信手段により受信された音声信号を示すデータに対応付けて前記処理コマンドが格納されている場合には、前記記憶手段に記憶されているパラメータを書き換えることに替えて、その処理コマンドの示す処理を実行しその実行結果を示す音声メッセージを前記第２の通信手段により前記音声信号の送信元へ返信することを特徴としている。このような態様によれば、上記処理コマンドに対応する音声信号を第２の通信網を介して上記通信装置へ送信することによって、第１の通信網を介したデータ通信が可能であるか否かがその通信装置によって確認され、その確認結果を示す音声メッセージが上記音声信号の送信元へ返信されてくる。これにより、通信装置の保守作業を行うオペレータがその通信装置の近傍に居ない場合であっても、遠隔地から上記音声信号を送信することによって、第１の通信網を介したデータ通信が可能であるか否かを確認することが可能になるといった効果を奏する。
【０００８】
また上記課題を解決するために、本発明は、第１の通信網を介してデータ通信を行う第１の通信手段と、前記第１の通信網とは異なる第２の通信網を介して音声通信を行う第２の通信手段であって、複数の通信アドレスが予め割り当てられている第２の通信手段と、
前記第２の通信手段に割り当てられている複数の通信アドレスの各々に対応付けて前記第１の通信手段によりデータを受信した場合に実行する処理を規定するパラメータが格納されている管理テーブルと、前記管理テーブルに格納されている複数のパラメータのうちの予め定められたパラメータを記憶する記憶手段と、前記第１の通信手段によりデータを受信した場合には前記記憶手段に記憶されているパラメータで規定される処理を実行する一方、前記複数の通信アドレスのうちの何れかへ着呼を前記第２の通信手段により受け付けた場合にはその通信アドレスに対応するパラメータを前記管理テーブルから読み出し、前記記憶手段に記憶されているパラメータを該読み出したパラメータで書き換える制御手段と、を有することを特徴とする通信装置を提供する。このような通信装置によれば、上記複数の通信アドレスの何れかへ着呼があった場合に、着呼があった通信アドレスに対応付けて管理テーブルに格納されているパラメータで、前記記憶手段に記憶されているパラメータが書き換えられる。
【０００９】
また、本発明の別の態様にあっては、第１の通信網を介して送信されてくるデータを受信した場合に予め該コンピュータ装置に設定されている動作定義パラメータの示す処理を実行させるとともに、該コンピュータ装置に割り当てられている複数の通信アドレスの何れかへ第１の通信網とは異なる第２の通信網を介して着呼があった場合に、該コンピュータ装置に予め記憶されている管理テーブルであって、前記複数の通信アドレスの各々に対応付けて前記第１の通信手段によりデータを受信した場合に実行する処理を規定するパラメータが格納されている管理テーブルに、前記着呼があった通信アドレスに対応付けて格納されているパラメータで上記動作設定パラメータを書き換えることを特徴とするプログラムを提供するとしても良く、また、コンピュータ装置読み取り可能な記録媒体に上記プログラムを書き込んで提供するとしても良い。
【発明の効果】
【００１０】
本発明に係る通信装置によれば、リモートイーサネットブリッジやモデムなどの特別な機器や、ｔｅｌｎｅｔなどの通信プロトコルについての特別な知識を要することなく、その通信装置の遠隔保守が可能になる、といった効果を奏する。
【発明を実施するための最良の形態】
【００１１】
以下、本発明の実施の最良の形態について図面を参照しつつ説明する。
（Ａ．構成）
図１は、本発明に係る通信装置の１実施形態である中継装置１００を含んでいる通信システムの構成例を示すブロック図である。図１の中継装置１００は、インターネット２００と、ＬＡＮ（Local Area Network）３００と、例えば一般公衆回線などの音声通信網４００とに接続されている。なお、図１では詳細な図示は省略したが、インターネット２００とＬＡＮ３００とには、それぞれ１または複数のコンピュータ装置が接続されている。また、図１に示す通信システムでは、中継装置１００には、音声通信網４００にてその中継装置１００を一意に識別する通信アドレス（すなわち、電話番号）が予め割り当てられており、音声通信網４００に収容される電話機（図示省略）を用いてその電話番号宛てに発呼することによって中継装置１００との間に通話回線を確立しその通話回線を介してトーン信号などの音声信号を送信することができる。
【００１２】
中継装置１００は、例えばルータであり、インターネット２００に接続されているコンピュータ装置とＬＡＮ３００に接続されているコンピュータ装置との間で所定の通信プロトコル（本実施形態では、Internet Protocol：以下、「ＩＰ」）にしたがって行われるデータ通信（本実施形態では、パケット通信）を中継する機能を備えている。加えて、中継装置１００は、所謂フィルタリング機能を備えており、例えば、インターネット２００に接続されているコンピュータ装置からＬＡＮ３００に接続されているコンピュータ装置宛てに送信されたパケットを受信した場合に、その送信元が予め定められたコンピュータ装置であるか否かを判定し、予め定められたコンピュータ装置であると判定した場合にのみ、そのパケットをその宛先へと転送する。
【００１３】
より詳細に説明すると、中継装置１００には、インターネット２００に接続されているコンピュータ装置のうち、ＬＡＮ３００に接続されているコンピュータ装置と中継装置１００を介してデータ通信することを許可されているコンピュータ装置を示す識別子（例えば、ＩＰアドレス）のリスト（以下、「フィルタリングパラメータ」と呼ぶ）が動作定義パラメータとして予め設定されており、中継装置１００は、インターネット２００から送信されてきたパケットを受信した場合に、そのパケットのヘッダ部に書き込まれている送信元アドレスが上記動作定義パラメータに含まれている識別子の何れかと一致するか否かを判定し、一致すると判定した場合にのみ、そのパケットをその宛先へと転送する。
【００１４】
また、図１の中継装置１００には、予め複数種類の上記フィルタリングパラメータが記憶されており、中継装置１００の操作部（図示省略）を適宜操作することによって上記複数種類のフィルタリングパラメータの何れかを上記動作定義パラメータとして設定することにより、フィルタリング対象を変更することができるように構成されている。加えて、上記複数種類のフィルタリングパラメータの各々には、互いに異なる音声信号（本実施形態では、トーン信号）を示すデータ（例えば、音声信号の信号波形を示すデータ）が対応付けられており、中継装置１００は、音声通信網４００を介してトーン信号を受信すると、そのトーン信号に対応するフィルタリングパラメータで上記動作定義パラメータを書き換えるように構成されている。このような構成としたため、本実施形態においては、中継装置１００のフィルタリング対象を遠隔地から変更する場合に、その中継装置１００に割り当てられている電話番号宛てに変更後のフィルタリングパラメータに対応するトーン信号を発信するだけで良く、特別な機器や特別な知識が要求されることはない。以下、中継装置１００の構成および動作について図面を参照しつつ説明する。
【００１５】
図２は、中継装置１００のハードウェア構成の一例を示すブロック図である。
図２に示すように、中継装置１００は、制御部１１０と、第１データ通信ＩＦ（なお、「ＩＦ」は、「インタフェース」の略である。以下、同じ）部１２０ａと、第２データ通信ＩＦ部１２０ｂと、音声通信ＩＦ部１３０と、記憶部１４０と、これら各構成要素間のデータ授受を仲介するバス１５０と、を有している。
【００１６】
制御部１１０は、例えばＣＰＵ（Central Processing Unit）であり、後述する記憶部１４０に格納されているプログラムを実行し、他の構成要素の作動制御を行うためのものである。
【００１７】
第１データ通信ＩＦ部１２０ａと第２データ通信ＩＦ部１２０ｂは、ともに、イーサネット規格に準拠したＮＩＣ（Network Interface Card）であり、夫々異なる通信網に接続されている。具体的には、第１データ通信ＩＦ部１２０ａは、インターネット２００に接続されており、第２データ通信ＩＦ部１２０ｂは、ＬＡＮ３００に接続されている。第１データ通信ＩＦ部１２０ａと第２データ通信ＩＦ部１２０ｂは、その各々が接続されている通信網から送信されてくるパケットを受信し制御部１１０へと引渡す一方、制御部１１０から引渡されたパケットをその各々が接続されている通信網へと送出する。つまり、第１データ通信ＩＦ部１２０ａと第２データ通信ＩＦ部１２０ｂは、その各々に接続されている通信網を介して所定のデータブロック（本実施形態では、パケット）単位のデータ通信を行う第１の通信手段として機能する。以下では、第１データ通信ＩＦ部１２０ａと第２データ通信ＩＦ部１２０ｂとを互いに区別する必要がない場合には、「データ通信ＩＦ１２０」と表記する。なお、本実施形態では、データ通信ＩＦ部１２０がイーサネット規格に準拠したＮＩＣである場合について説明するが、各々が接続される通信網に適合した規格に準拠したＮＩＣであれば良い。
【００１８】
音声通信ＩＦ部１３０は、音声通信網４００に接続されているとともに、この音声通信網４００にて中継装置１００を一意に識別する通信アドレスである電話番号が予め割り当てられている。この音声通信ＩＦ部１３０は、図示せぬＡ／Ｄ変換回路を含んでおり、音声通信網４００から送られてくるアナログ音声信号を受信し、そのアナログ音声信号にデジタル変換を施して得られるデジタル音声信号（すなわち、そのアナログ音声信号の信号波形を示すデータ）を制御部１１０へ引渡す一方、制御部１１０から引渡されたデジタル音声信号にアナログ変換を施してアナログ音声信号を生成し、そのアナログ音声信号を音声通信網４００へと送出する。つまり、音声通信ＩＦ部１３０は、音声通信網４００を介して音声通信を行う第２の通信手段として機能する。なお、本実施形態では、音声通信ＩＦ部１３０にＡ／Ｄ変換回路が含まれている場合について説明したが、音声通信網４００を介してデジタル音声信号が送受信される場合には、音声通信ＩＦ部１３０にＡ／Ｄ変換回路が含まれていなくても良いことは勿論である。
【００１９】
記憶部１４０は、図２に示すように、不揮発性記憶部１４０ａと揮発性記憶部１４０ｂとを含んでいる。
不揮発性記憶部１４０ａは、ＲＯＭ（Read Only Memory）やハードディスクで構成されている。この不揮発性記憶部１４０ａには、パケット中継処理やフィルタリング処理、および、音声通信ＩＦ部１３０を介して受信したアナログ音声信号に応じてフィルタリング対象を変更する設定変更処理を制御部１１０に実行させるための制御プログラムが予め格納されている。また、この不揮発性記憶部１４０ａには、上記設定変更処理を遠隔地から実行することが許可されている（すなわち、設定変更処理の実行トリガとなるトーン信号を発信することが許可されている）電話機に割り当てられている電話番号のリスト（以下、認証用テーブル）と前述した複数種類のフィルタリングパラメータと上記アナログ音声信号との対応関係を示す管理テーブル（図３参照）とが格納されている。例えば、図３に示す管理テーブルでは、プッシュホン式の電話機にてボタン“ｎ”が押下された場合にその電話機から発信されるトーン信号（図３では、“トーン信号＃ｎ”と表記）のデジタル音声信号には、“フィルタリングパラメータｎ”が対応付けられている（ｎ＝０〜９）。この管理テーブルの格納内容は、音声通信ＩＦ部１３０を介して受信したトーン信号に対応するフィルタリングパラメータを制御部１１０に特定させる際に利用される。
【００２０】
一方、揮発性記憶部１４０ｂは、ＲＡＭ（Random Access Memory）であり、上記制御プログラムにしたがって作動している制御部１１０によってワークエリアとして利用されたり、前述したパケット中継処理を行う際に、第１通信ＩＦ部１２０ａまたは第２通信ＩＦ部１２０ｂの何れか一方を介して受信したパケットを他方を介して転送するまでの間、そのパケットを蓄積しておくキューとして利用される。また、揮発性記憶部１４０ｂには、中継装置１００の操作部（図示省略）を適宜操作することにより設定される動作定義パラメータが記憶され、この動作定義パラメータにしたがって前述したフィルタリング処理が実行される。つまり、揮発性記憶部１４０ｂは、動作定義パラメータを記憶する記憶手段の役割を担っている。
以上が、本実施形態に係る中継装置１００の構成である。
【００２１】
（Ｂ．動作）
次いで、本実施形態に係る中継装置１００の制御部１１０が、上記制御プログラムにしたがって行う動作のうち、本発明に係る通信装置の特徴を顕著に示している動作について図面を参照しつつ説明する。
中継装置１００の電源（図示省略）が投入されると、制御部１１０は、まず、管理テーブルに格納されている上記９種類フィルタリングパラメータのうちで予め定められたもの（本実施形態では、“フィルタリングパラメータ０”）を読み出し、この“フィルタリングパラメータ０”を動作定義パラメータとして揮発性記憶部１４０ｂへ書き込む一方、前述した制御プログラムを不揮発性記憶部１４０ａから読み出し、これを実行する。この制御プログラムにしたがって作動している制御部１１０は、前述したパケット中継処理を実行するとともに、上記動作設定パラメータにしたがってフィルタリング処理を実行する。
【００２２】
さて、図１に示す通信システムにおいて、動作定義パラメータを書き換えることによりフィルタリング対象を変更させようとするオペレータは、音声通信網４００に接続されている電話機（電話機）を適宜操作することによって、音声通信ＩＦ部１３０に割り当てられている電話番号宛てに発呼させる。なお、本実施形態では、上記発呼が行われた場合には、その発信元である電話機に割り当てられている電話番号がその発呼先へと通知される（以下、「発信番号通知」ともいう）ものとする。一方、上記制御プログラムにしたがって作動している制御部１１０は、音声通信ＩＦ部１３０に対する着呼を検出すると、図４に示すフローチャートにしたがって設定変更処理を実行する。以下、図４を参照しつつ、制御部１１０が行う設定変更処理について説明する。
【００２３】
図４は、上記制御プログラムにしたがって制御部１１０が実行する設定変更処理の流れを示すフローチャートである。図４に示すように、制御部１１０は、まず、音声通信ＩＦ部１３０により上記電話番号宛ての着呼を検出すると、その発信元が予め定められた電話機であるか否かを認証する（ステップＳＡ１００）。具体的には、制御部１１０は、上記発信元から通知された電話番号が前述した認証用テーブルに格納されているか否かを判定し、格納されている場合に、予め定められた発信元からの着呼であると判定する。
そして、制御部１１０は、ステップＳＡ１００の判定結果が“Ｙｅｓ”である場合には、上記発信元からトーン信号が送信されてくることを待ち受け（ステップＳＡ１１０）、逆に、ステップＳＡ１００の判定結果が“Ｎｏ”である場合には、制御部１１０は、本設定変更処理を終了する。これにより、予め定められた発信元以外から設定変更処理が実行されることを回避することが可能になる。なお、ステップＳＡ１００の判定結果が“Ｎｏ”である場合には、予め定められた発信元以外では設定変更処理を実行することができない旨の音声メッセージを返信する処理を制御部１１０に実行させるようにしても勿論良い。以下、本動作例では、オペレータに操作される電話機の電話番号が上記認証用テーブルに登録されている場合（すなわち、ステップＳＡ１００の判定結果が“Ｙｅｓ”になる場合）について説明する。
【００２４】
ステップＳＡ１１０に後続して実行されるステップＳＡ１２０においては、制御部１１０は、上記発信元から送信されたトーン信号に対応するフィルタリングパラメータが管理テーブル（図３参照）に格納されているか否かを判定する。具体的には、制御部１１０は、音声通信ＩＦ部１３０から引渡されるデジタル音声信号と一致するデジタル音声信号が管理テーブルに格納されているか否かを判定し、一致するデジタル音声信号が格納されている場合に、上記トーン信号に対応するフィルタリングパラメータが管理テーブルに格納されていると判定する。
【００２５】
ステップＳＡ１２０の判定結果が“Ｙｅｓ”である場合には、制御部１１０は、上記発信元から受信したトーン信号に対応するフィルタリングパラメータで揮発性記憶部１４０ｂに格納されている動作定義パラメータを書き換え（ステップＳＡ１３０）、本設定変更処理を終了する。逆に、ステップＳＡ１２０の判定結果が“Ｎｏ”である場合には、ステップＳＡ１１０以降の処理を再度実行する。なお、ステップＳＡ１２０の判定結果が“Ｙｅｓ”である場合には、ステップＳＡ１３０の処理に後続して、動作定義パラメータの書き換えが完了したことを示す音声メッセージを上記トーン信号の発信元へ返信する処理を制御部１１０に実行させるようにしても良く、また、ステップＳＡ１２０の判定結果が“Ｎｏ”である場合には、ステップＳＡ１１０以降の処理を再度実行することに先立って、該当するフィルタリングパラメータがない旨の音声メッセージを上記トーン信号の発信元へ返信する処理を制御部１１０に実行させるようにしても良い。
【００２６】
例えば、上記発信元から“トーン信号＃１”が送信されてくる場合には、そのトーン信号に対応するフィルタリングパラメータ（本実施形態では、“フィルタリングパラメータ１”）が上記管理テーブルに格納されているため、ステップＳＡ１２０の判定結果は“Ｙｅｓ”になり、ステップＳＡ１３０以降の処理が実行される。その結果、揮発性記憶部１４０ｂに記憶されている動作定義パラメータは、“フィルタリングパラメータ１”に書き換えられ、以降、その動作定義パラメータにしたがってフィルタリング処理が実行されることになる。
【００２７】
以上に説明したように、本実施形態に係る中継装置１００によれば、その中継装置１００の音声通信ＩＦ部１３０に割り当てられている電話番号宛てに発呼し、トーン信号を送信することによってフィルタリングパラメータを変更することが可能である。このように、本実施形態に係る中継装置１００によれば、特別な機器や特別な知識を要することなく、遠隔地からそのフィルタリング処理の処理対象を変更することが可能になる。
【００２８】
（Ｃ．変形）
以上、本発明の１実施形態について説明したが、上述した実施形態に以下のような変形を加えても良いことは勿論である。
（１）上述した実施形態では、音声通信ＩＦ部１３０によって受信したトーン信号に応じて動作定義パラメータを書き換える場合について説明した。しかしながら、音声通信ＩＦ部１３０によってトーン信号を受信した場合に、動作定義パラメータの書き換えを行うか否かをオペレータに設定させ、動作定義パラメータの書き換えを行う旨の設定が為されている状況下で、音声通信ＩＦ部１３０によりトーン信号を受信した場合に、そのトーン信号に応じて動作定義パラメータの書き換えを行わせるようにしても良い。具体的には、トーン信号を受信した場合に、動作定義パラメータの書き換えを行うか否かを示すフラグ（例えば、そのフラグ値が“１”であれば、書き換えを行い、“０”であれば書き換えを行わない）オペレータに設定させるとともに、そのフラグ値を不揮発性記憶部１４０ａに記憶し、音声通信ＩＦ部１３０への着呼が検出された場合には、図４に示す設定変更処理を実行することに先立って、上記フラグ値が“１”であるか否かを制御部１１０に判定させ、その判定結果が“Ｙｅｓ”である場合にのみ、図４に示すステップＳＡ１００以降の処理を制御部１１０に実行させるようにすれば良い。
【００２９】
（２）上述した実施形態では、音声通信ＩＦ部１３０に対して着呼があった場合に、その発信元から通知される発信元電話番号を用いて、その発信元が、設定変更処理を遠隔地から実行することが許可されている発信元であるか否かを認証する場合について説明した。しかしながら、パスワードや暗証番号などにより上記認証を行うように変形しても勿論良い。具体的には、設定変更処理を遠隔地から実行することが許可されているオペレータに対して予め暗証番号を定めておくとともに、その暗証番号を認証用テーブルに格納しておき、上記認証を行う際には、トーン信号により暗証番号を送信させるようにすれば良い。また、上述した実施形態では、フィルタリングパラメータの各々に互いに異なるトーン信号の信号波形を示すデータを対応付けて管理テーブルに格納しておく場合について説明したが、各フィルタリングパラメータに、オペレータの音声の信号波形を示すデータを対応付けて管理テーブルに格納しておくとしても勿論良い。このようにすると、変更後の動作定義パラメータを音声で指定することが可能になる。
【００３０】
（３）上述した実施形態では、トーン信号の信号波形を示すデータに対応付けてフィルタリング対象を規定するフィルタリングパラメータを管理テーブルに格納しておく場合について説明したが、トーン信号の信号波形を示すデータに対応付けて管理テーブルに格納されるパラメータは、フィルタリングパラメータに限定されるものではなく、データ通信ＩＦ部１２０を介して受信したパケットの転送先を規定するルーティングテーブルであっても勿論良い。また、本発明の適用対象はルータなどの中継装置に限定されるものではなく、暗号化装置であっても良い。要は、通信網を介してデータを受信しそのデータに対して予め設定されたパラメータで規定される処理を施す通信装置であれば、本発明を適用することが可能である。例えば、暗号化装置に本発明を適用する場合には、その暗号化装置が受信したデータに対して施す暗号化処理を規定するパラメータ（例えば、暗号鍵など）を上記トーン信号に対応付けて管理テーブルに格納させておけば良い。
【００３１】
また、トーン信号の信号波形を示すデータに対応付けて管理テーブルに格納されるデータは、通信網を介して受信したデータに対して施す処理を規定するパラメータに限定されるものではなく、特定の処理を制御部１１０に実行させるための処理コマンドであっても勿論良い。例えば、上記処理コマンドとして、インターネット２００やＬＡＮ３００などの通信網を介したデータ通信が可能であるか否かを確認する処理（例えば、インターネット２００に接続されている所定のコンピュータ装置へｐｉｎｇを送信する処理や、ＬＡＮ３００に接続されている所定のコンピュータ装置へｐｉｎｇを送信する処理）を示す処理コマンドを上記各パラメータに対応付けられているトーン信号の何れとも異なるトーン信号に対応付けて管理テーブルに格納させておき、音声通信ＩＦ部１３０により受信された音声信号に対応付けて管理テーブルに格納されているデータが上記処理コマンドである場合には、その処理コマンドの示す処理を制御部１１０に実行させ、その実行結果を示す音声メッセージを上記音声信号の送信元へ返信させるようにしても良い。このようにすると、中継装置１００の動作定義の変更の他に、インターネット２００に接続されているコンピュータ装置と中継装置１００との疎通確認やＬＡＮ３００に接続されているコンピュータ装置と中継装置１００との疎通確認を遠隔地で行うことが可能になり、中継装置１００に対する遠隔保守のバリエーションが広がるといった効果を奏する。
【００３２】
（４）上述した実施形態では、音声通信ＩＦ部１３０を介してトーン信号を受信した場合に、そのトーン信号の信号波形を示すデータに対応付けて管理テーブルに格納されているフィルタリングパラメータで動作定義パラメータを書き換える場合について説明した。しかしながら、音声通信網４００としてＩＳＤＮ回線を用いるとともに音声通信ＩＦ部１３０としてＩＳＤＮインタフェースを用いる場合には、その音声通信ＩＦ部１３０に割り当てられている電話番号に対して複数のサブアドレスを更に割り当てることが可能であるから、このサブアドレスを上記信号波形を示すデータの代わりに上記管理テーブルに格納させておき、上記複数のサブアドレスの何れに着呼したかに応じて、着呼したサブアドレスに対応するフィルタリングパラメータで動作定義パラメータを書き換えさせるようにしても勿論良い。また、上記サブアドレスとトーン信号との組み合わせに対応付けて前述した各パラメータや処理コマンドを管理テーブルに格納させておくとしても勿論良い。
【００３３】
（５）上述した実施形態では、音声通信ＩＦ部１３０を介してトーン信号を受信した場合に、そのトーン信号の信号波形を示すデータに対応付けて管理テーブルに格納されているフィルタリングパラメータで動作定義パラメータを書き換える場合について説明した。しかしながら、複数のパケットに分割されて送信されてくるデータの中継をデータ通信ＩＦ部１２０により行っている最中に、フィルタリング対象を変更してしまうと、フィルタリング対象の変更前にはパケットの転送が行われていたにも拘わらず、その変更後にはパケットの転送が行われなくなるなど中継処理の一貫性が保たれなくなってしまう虞があり好ましくない。
【００３４】
そこで、データ通信ＩＦ部１２０によりデータ通信を中継している間に音声通信ＩＦ部１３０を介してトーン信号を受信した場合には、中継しているデータ通信が完了するまで、動作定義パラメータの書き換え繰り延べ、そのデータ通信が完了した時点で動作定義パラメータを書き換えるように変形しても勿論良い。このようにすることにより、データ通信の中継している最中に動作定義パラメータが変更されることが回避され、中継処理の一貫性を保つことが可能になる。なお、データ通信を中継中であるか否かは、前述したキューにパケットが蓄積されているならばデータ通信を中継中であると判定するとしても良く、また、データ通信の開始を示す通信メッセージ（例えば、ＳＹＮメッセージ）の中継を行ってからデータ通信の終了を示す通信メッセージ（例えば、ＦＩＮメッセージ）の中継を行うまでの間はデータ通信を中継中であると判定するようにしても良い。また、音声通信ＩＦ部１３０によりトーン信号を受信した場合には、そのトーン信号に対応するフィルタリングパラメータでの動作定義パラメータの書き換えが完了するまで、新たなデータ通信の中継を行わない（具体的には、データ通信の開始を示す通信メッセージを受信してもその通信メッセージをその宛先へ転送しない）ようにしても勿論良い。このようにすると、繰り延べられている間に新たなデータ通信が開始されそのデータ通信について一貫性が保たれなくなることを回避することが可能になるといった効果を奏する。なお、動作定義パラメータの書き換えを繰り延べる場合には、その旨を示す音声メッセージを上記トーン信号の送信元へ返信するようにすることが好ましい。
【００３５】
また、パケットのヘッダ部に、データ通信の一貫性を保つ必要があるか否かを示すフラグ（以下、「一貫性フラグ」）を書き込んでおき、キューに蓄積されているパケットのヘッダ部に書き込まれている一貫性フラグの値が、データ通信の一貫性を保つ必要があることを示す値（例えば、“１”）である場合には、動作定義パラメータの書き換えを繰り延べ、データ通信の一貫性を保つ必要がないことを示す値（“０”）である場合には、即座に、動作定義パラメータを書き換えるようにしても勿論良い。
【００３６】
（６）上述した実施形態では、中継装置１００にパケット単位でデータ通信を中継させる場合について説明したが、フレーム単位やセグメント単位など他のデータブロック単位でデータ通信を中継させるようにしても勿論良い。
【図面の簡単な説明】
【００３７】
【図１】本発明に係る通信装置の１実施形態である中継装置１００を含んでいる通信システムの構成例を示すブロック図である。
【図２】同中継装置１００のハードウェア構成の一例を示すブロック図である。
【図３】同中継装置１００の不揮発性記憶部１４０ａに格納されている管理テーブルの一例を示す図である。
【図４】同管理テーブルの格納内容の一例を示す図である。
【符号の説明】
【００３８】
１００…中継装置、１１０…制御部、１２０ａ…第１データ通信ＩＦ部、１２０ｂ…第２データ通信ＩＦ部、１３０…音声通信ＩＦ部、１４０…記憶部、１４０ａ…不揮発性記憶部、１４０ｂ…揮発性記憶部、１５０…バス、２００…インターネット、３００…ＬＡＮ、４００…音声通信網。
【図１】
2007174544.tif 000003
【図２】
2007174544.tif 000004
【図３】
2007174544.tif 000005
【図４】
2007174544.tif 000006